(57)【要約】【課題】煩雑な作業によらず果実が地面に接触するのを抑制できる果樹の育成方法を提供する。【解決手段】果実（マンゴー４）が生る果樹（マンゴーの木１）の育成方法において、マンゴーの木１の高さ方向に、マンゴーの木１の幹の周囲からマンゴーの木１の幅方向の範囲に渡り、完熟状態の果実よりも網目が小さい平面状の第１のネットを複数段配置する。【選択図】図１
2009060808.tif 000002
【特許請求の範囲】
【請求項１】
果実が生る果樹の育成方法において、
果樹の高さ方向に、上記果樹の幹の周囲から上記果樹の幅方向の範囲に渡り、完熟状態の上記果実よりも網目が小さい平面状のネットを複数段配置することを特徴とする果樹の育成方法。
【請求項２】
前記複数段に配置されるネットにおいて、上方のネットの網目が、その直下にある下方のネットの網目の大きさと比べて同一若しくは大きいことを特徴とする請求項１記載の果樹の育成方法。
【請求項３】
前記ネットは、隣接する複数の前記果樹に渡って配置することを特徴とする請求項１または２記載の果樹の育成方法。
【請求項４】
前記ネットの網目の形状が四角形である場合に、上記四角形の対角線が５０ｍｍ以上８０ｍｍ以下であることを特徴とする請求項１、２または３記載の果樹の育成方法。
【請求項５】
前記ネットの網目の形状が円形である場合に、上記円形の直径が５０ｍｍ以上８０ｍｍ以下であることを特徴とする請求項１、２または３記載の果樹の育成方法。
【発明の詳細な説明】
【技術分野】
【０００１】
本発明は、果樹の育成方法に関する。
【背景技術】
【０００２】
果樹の育成に際して、完熟状態の果実の落下を防止するため、収穫前の個々の果実に袋状のネットを被せる技術が提案されている（特許文献１参照）。ここで、袋状のネットを用いている理由は、ネットの網目を通った日光が果実に当たるようにするためである。
【０００３】
【特許文献１】特開２００６−４２６５８号公報（段落０００２）
【発明の開示】
【発明が解決しようとする課題】
【０００４】
しかし、特許文献１の技術では、果実の重みで枝がたわみ、袋状のネットを被せた果実が地面に接触して果実が傷む場合がある。また、個々の果実に袋状のネットを被せる作業は煩雑である。
【０００５】
そこで、本発明の目的は、煩雑な作業によらず果実が地面に接触するのを抑制できる果樹の育成方法を提供することである。
【課題を解決するための手段】
【０００６】
上記目的を達成するため、本発明の果樹の育成方法は、果実が生る果樹の育成方法において、果樹の高さ方向に、果樹の幹の周囲から果樹の幅方向の範囲に渡り、完熟状態の果実よりも網目が小さい平面状のネットを複数段配置する。
【０００７】
本発明の果樹の育成方法によれば、ネットを配置したことによって果実が落下してもネットがその果実を受け止めるため、果実が地面に接触するのを抑制できる。また、果樹の高い位置に生っている果実が落下しても上方のネットによって小さい衝撃で受け止めることができる。また、個々の果実を袋状のネットに収容するような煩雑な作業を要しない。
【０００８】
また、他の本発明の果樹の育成方法は、上述の発明に加え、複数段に配置されるネットにおいて、上方のネットの網目が、その直下にある下方のネットの網目の大きさと比べて同一若しくは大きくする。この方法を採用することによって、果実よりも大きな葉がある場合に、上方のネットを通り抜けさせて下方のネットで受け止め、下方のネットの上で葉を収集しやすくすることが可能となる。
【０００９】
また、他の本発明の果樹の育成方法は、上述の発明に加え、ネットは、隣接する複数の果樹に渡って配置する。この方法を採用することによって、１枚のネットで複数の果樹の果実を受け止めることができ、効率的である。
【００１０】
また、他の本発明の果樹の育成方法は、上述の発明に加え、ネットの網目の形状が四角形である場合に、四角形の対角線が５０ｍｍ以上８０ｍｍ以下である。この方法を採用することによって。落下した果実をより確実に受け止めると共に、果実への日光の照射をネットによって阻害されないようにできる。
【００１１】
また、他の本発明の果樹の育成方法は、上述の発明に加え、ネットの網目の形状が円形である場合に、円形の直径が５０ｍｍ以上８０ｍｍ以下である。この方法を採用することによって。落下した果実をより確実に受け止めると共に、果実への日光の照射をネットによって阻害されないようにできる。
【発明の効果】
【００１２】
本発明によって、煩雑な作業によらず果実が地面に接触するのを抑制できる果樹の育成方法を提供することができる。
【発明を実施するための最良の形態】
【００１３】
本実施の形態に係る果樹の育成方法について、図面を参照しながら説明する。図１は、本実施の形態に係る果樹の育成方法の概要を示す図である。図２は図１を上から見た概要図である。なお図２では、第１のネット５および第２のネット６の網目およびマンゴー４の描写を省略している。
【００１４】
果樹の一種であるマンゴーの木１は、１本毎に鉢２に植えられる。図２に示すように、複数の鉢２が隣接して地面に置かれている。鉢２は、陶器製のものであってもよいが、プラスチック製のものが好ましい。プラスチック製の鉢２は、陶器製の鉢２より軽量であり、且つ持ち運びが容易であるからである。
【００１５】
鉢２の内側には、図１に示すように、鹿沼土などの樹木用の土壌３が、加熱による減菌処理を施された上で収容される。マンゴーの木１には、木の幹から派生する枝と葉が密集している枝葉群８を有しており、枝葉群８には複数のマンゴー４が生っている。マンゴーの木１には、当初、マンゴー４の花毎に小さい果実が多数生る。マンゴー４が完熟すると枝が下にたわみやすくなる。
【００１６】
マンゴーの木１には、土壌３の表面から所定距離の高さ以下には枝葉の無い、マンゴーの木１の幹が露出する部分がある。その幹の露出部分と枝葉群８との境目よりも若干低く、マンゴー４が生る位置よりも低い位置には、平面状の第１のネット（下方のネット）５が水平に配置される。第１のネット５は、第１のネット５を支持する固定具（図示省略）によって固定されている。第１のネット５を配置する時期は、マンゴーの木１が第１のネット５の高さに達する前であることが好ましい。かかる時期に第１のネット５を配置すると、マンゴーの木１が第１のネット５の高さに達しても、第１のネット５の網目を通って伸びることができる。この第１のネット５は、図２に示すように、マンゴーの木１の幹の周囲からマンゴーの木１の幅方向、すなわち枝葉群８および果実であるマンゴー４が存在する範囲を少なくとも約１００％〜１１０％程度覆う範囲に渡って配置される。枝葉群８の中で育成した枝葉から生ったマンゴー４の一部は、自重によって第１のネット５の上へと落下しているものがある。
【００１７】
第１のネット５の網目の大きさは、完熟状態のマンゴー４の径よりも小さく、５０ｍｍ四方とするのが好ましい。また第１のネット５の材質は、好ましくは、ナイロン製である。マンゴーの木１の幹の周囲に第１のネット５を配置する別の方法としては、次のような方法もある。一旦第１のネット５の網の部分の一部を端から切ってその切れ目からマンゴーの木１の幹を通し、第１のネット５のほぼ中央領域に幹を配置させ、その後切った網の部分を結び直して修復する。
【００１８】
第１のネット５よりも高い位置であってマンゴーの木１の枝葉群８の上に、マンゴーの木１の幅方向、すなわち図２に示すように枝葉群８および果実であるマンゴー４が存在する範囲を少なくとも約１００％〜１１０％程度覆う範囲に渡って、第２のネット（上方のネット）６が水平に配置される。第２のネット６は、完熟状態のマンゴー４よりも網目が小さく、かつ第１のネット５よりも網目が大きい。具体的には、第２のネット６の網目は、６０〜８０ｍｍ四方とするものが好ましい。第２のネット６は、第１のネット５と同様に、隣接する複数のマンゴーの木１に渡って配置される。また、第２のネット６は、第２のネット６を支持する固定具（図示省略）によって、第１のネット５と同様に固定されている。第１のネット５または第２のネット６の張力は、マンゴー４が載置された第１のネット５または第２のネット６の部分が若干凹み、その部分からマンゴー４がさらに転がって移動しない程度の張力とするのが好ましい。なお、枝葉群８からは、一部第２のネット６の網目を貫通して枝葉が育成し、その先端には果実であるマンゴー４が生っているものがある。また、第２のネット６の網目を貫通して育成した枝葉から生ったマンゴー４の一部は、自重によって第２のネット６の上へと接するものがある。
【００１９】
完熟したマンゴー４を収穫する際には、自重によって第１のネット５または第２のネット６の上に落下したマンゴー４を拾い、あるいはマンゴーの木１に生っているマンゴー４をもいで収穫する。収穫の前または後には、第１のネット５の上に直接落ちた葉７および第２のネット６の網目を通過して落ちた葉７を収集する。
【００２０】
（本発明の実施の形態で主として得られる効果）
マンゴー４が落下しても第１のネット５および第２のネット６がそのマンゴー４を受け止めるため、マンゴー４が地面に接触するのを抑制できる。また、そのためには煩雑な作業を要しない。また、従来の袋状のネットに果実を収容する技術に比較し、第１のネット５および第２のネット６は、マンゴー４の表面を覆う必要がないため、果実への日光の照射量を増加させることができる。さらに第１のネット５および第２のネット６を水平に配置することによって、受け止められたマンゴー４が転がって傷を負うことを抑制できる。さらに隣接する複数の果樹に渡って第１のネット５および第２のネット６を配置することによって、複数のマンゴーの木１に効率良くマンゴー４と地面との接触の抑制効果を発揮させることができる。
【００２１】
第２のネット６の網目を第１のネット５の網目よりも大きくすることで、マンゴーの木１の高い位置から落ちた葉７が第２のネット６を容易に抜け、第２のネット６を抜けた葉７は、第１のネット５にて収集することができる。ここで、８０ｍｍ四方の網目を有する第２のネット６は、マンゴーの木１等の通常の大きさの葉７を通過させるが、５０ｍｍ四方の網目を有する第１のネット５は、マンゴーの木１等の通常の大きさの葉７を通過させない。また、５０ｍｍ四方の網目を有する第１のネット５は、マンゴー４等の果実への日光の照射を阻害しない。
【００２２】
（他の形態）
上述した本実施の形態に係る果樹の育成方法は、本発明の好適な形態の一例ではあるが、これに限定されるものではなく本発明の要旨を変更しない範囲において以下のように種々変形実施が可能である。
【００２３】
上述した本実施の形態に係る果樹には、マンゴーの木１を用いているが、リンゴの木等、他の果実が生る果樹を用いることができる。ただし、マンゴー４は重たくマンゴーの木１から比較的落下し易いため、マンゴーの木１は他の果樹よりも第１のネット５または第２のネット６の重要性は高い。
【００２４】
上述した本実施の形態に係る鉢２は、必須の構成要素ではないため省略することができる。またマンゴーの木１は、地面の土壌に直接植えられたものであっても良い。
【００２５】
上述した本実施の形態に係るネット５および第２のネット６は、水平に配置されている。しかし第１のネット５および第２のネット６に傾斜を設けたり、ネット面に袋状部（凹部）等を設けても良い。傾斜を設けることにより、収穫作業が容易になって作業効率が上がる場合がある。また、袋状部を設け、その中に果実を収容することによって、第１のネット５および第２のネット６に落下したマンゴー４をより安定的に保持させることができる。また第１のネット５を配置する高さは、図１に示すよりも低い位置にすることができる。
【００２６】
上述した本実施の形態に係る第１のネット５の網目は５０ｍｍ四方、第２のネット６の網目は８０ｍｍ四方としている。しかしそれ以外の寸法または形状の網目としても良い。たとえば形状は、菱形、長方形、平行四辺形、台形、円形、楕円形等、またはこれらの形状を２以上含むものである。網目の寸法としては、果実が通過できない大きさであれば良く、果実の種類、品種、寸法等を総合的に判断して適宜決定できる。なお、果実に日光が当たるのを妨げない大きさの網目であることが好ましい。また、第１のネット５および第２のネット６の網目の形状が円形である場合に、円形の直径が５０ｍｍ以上８０ｍｍ以下であることが好ましい。
【００２７】
また、第１のネット５、第２のネット６以外に、第３のネット、第４のネット等のネットを配置し、３段あるいは４段以上のネットを配置することができる。その場合、上下に隣り合うネットにおいて、上方のネットの網目の大きさは、下方のネットの網目と比べて同一若しくは大きくするのが好ましい。たとえば、３段にネットを配置した場合、上段、中段、下段と、徐々に網目を小さくしたり、上段と中段とを同じ網目の大きさとして下段の網目よりもより小さくしたり、中段と下段とを同じ網目の大きさとして上段の網目をより大きくするのが好ましい。
【００２８】
また第１のネット５および第２のネット６は、材質がナイロン製のものであるが、麻等の異なる材質のものを用いても良い。さらに、第１のネット５および第２のネット６を構成する糸の断面形状は円形としているが、他の断面形状としても良い。たとえば、糸の形状を細長い帯状とし、外観の面積の大きい面でマンゴー４を受け止めるように第１のネット５および第２のネット６を構成することによって、受け止める際の衝撃を和らげて、マンゴー４の損傷をより抑制することができる。
【００２９】
また上述した本実施の形態に係る第１のネット５をマンゴーの木１の幹の周囲に配置する際には、ネット５の網の一部を端から切っている。しかし、このような網を切る過程は必ずしも必要ではない。たとえば２枚の平面状の第１のネット５をマンゴーの木１の幹の周囲を囲うように配置することで、幹の周囲にネットを配置させても良い。
【００３０】
上述した本実施の形態に係る第１のネット５および第２のネット６は、図２に示すように隣接する複数の果樹に渡って配置されている。しかし、個々の果樹毎に第１のネット５または第２のネット６を配置することができる。鉢２を個々の果樹毎に用いている場合は、第１のネット５および第２のネット６を鉢２に固定することができる。そのようにすることで、個々のマンゴーの木１の取り扱い性が良好となる場合があり、または個々のマンゴーの木１の管理の容易さがより増す場合がある。
【００３１】
上述した本実施の形態に係るネット５および第２のネット６は、枝葉群８および果実であるマンゴー４が存在する範囲を約１００％〜１１０％程度覆う範囲に渡って配置されている。しかし、その範囲は約１１０％を超える範囲としても良い。また、枝葉群８の内側に集中して果実が生る果樹の場合等には、その範囲を約１００％未満の範囲としても良い。
【００３２】
上述した本実施の形態に係る収穫の際には、マンゴーの木１に生っているマンゴー４はもいで収穫している。しかし、マンゴーの木１に振動を与える等して故意にマンゴー４を第１のネット５または第２のネット６の上に落下させた上で収穫し、収穫作業の効率を上げることができる。葉７の収集も同様にマンゴーの木１に振動を与える等して故意に葉７をネット５の上に落下させた上で収集して、収集作業の効率を上げることができる。
【産業上の利用可能性】
【００３３】
本発明は、果実の生産方法に関する産業に利用できる。
【図面の簡単な説明】
【００３４】
【図１】本実施の形態に係る果樹の育成方法の概要を示す図である。
【図２】図１を上から見た概要図である。
【符号の説明】
【００３５】
１  マンゴーの木（果樹）
４  マンゴー（果実）
５  第１のネット（下方のネット）
６  第２のネット（上方のネット）
【図１】
2009060808.tif 000003
【図２】
2009060808.tif 000004